(57)【要約】【課題】簡単な構造で光学フィルタを進退させることができる光量調節装置を提供する。【解決手段】光量調整装置は、回転により絞り羽根１５を開閉動作させるロータリプレート１４に軸支され、光学フィルタ部１８ａ及び突起部１８ｃを有する光学フィルタ部材１８と、突起部１８ｃが当接するカム部１３ｋ−１，１３ｋ−２を有する固定部材１３と、突起部１８ｃがカム部１３ｋ−１をトレースする状態とカム部１３ｋ−２をトレースする状態に切り換えるガイド部材１９とを備える。突起部１０ｃがカム部１３ｋ−２をトレースするとき、絞り羽根１５が開閉動作しても、光学フィルタ部１８ａは光路内に進入せず、突起部１０ｃがカム部１３ｋ−１をトレースするとき、絞り羽根１５が開閉動作する際に、光学フィルタ部１８ａは光路内に進入する。【選択図】図３
2014013348.tif 000002
【特許請求の範囲】
【請求項１】
第１の軸部と第２の軸部がそれぞれ形成される複数の絞り羽根と、
前記複数の絞り羽根の前記第１の軸部がそれぞれ軸支されるロータリプレートと、
前記ロータリプレートを回転駆動する駆動ユニットと、
前記複数の絞り羽根の前記第２の軸部がそれぞれ係合される複数のカム穴が形成されるカムプレートと、
アーム部の一端が前記ロータリプレートに軸支され、前記アーム部の他端に光学フィルタが配置され、前記アーム部に突起部が形成される光学フィルタ部材と、
前記突起部がトレースする第１のカム部及び第２のカム部が形成される固定部材と、
移動することで、前記突起部が前記第１のカム部をトレースする第１の状態と、前記突起部が前記第２のカム部をトレースする第２の状態とに切り換える切換手段と、を備え、
前記切換手段によって、前記第１の状態に切り換えられる場合には、前記ロータリプレートを回転させて前記複数の絞り羽根が光路を絞り込む際に、前記光学フィルタ部材が前記光路内に進入することなく、前記切換手段によって、前記第２の状態に切り換えられる場合には、前記ロータリプレートを回転させて前記複数の絞り羽根が光路を絞り込む際に、前記光学フィルタ部材が前記光路内に進入することを特徴とする光量調節装置。
【請求項２】
前記カム穴には、前記絞り羽根が小絞り状態となるときに、前記光路を絞り込む方向に前記ロータリプレートを更に回転させることで、前記絞り羽根を小絞り位置から中間絞り側へ回動させるカム領域が形成され、
前記固定部材には、前記絞り羽根が小絞り状態となるときに、前記切換手段が前記第１の状態から前記第２の状態に切り換える場合に、前記突起部がトレースする第３のカム部が形成されることを特徴とする請求項１に記載の光量調節装置。
【請求項３】
前記光学フィルタ部は、ＮＤフィルタ部であることを特徴とする請求項１または２に記載の光量調節装置。
【請求項４】
請求項１から３のいずれか１項に記載の光量調節装置を有することを特徴とする撮像装置。
【発明の詳細な説明】
【技術分野】
【０００１】
本発明は、光量調節装置および光量調節装置を備える撮像装置に関する。
【背景技術】
【０００２】
デジタルスチルカメラなどの撮影装置のレンズ鏡筒に搭載される光量調節装置として、例えば図８（ａ）に示すものがある（特許文献１）。
【０００３】
この光量調節装置は、絞り羽根の他に、ＮＤフィルタ４０１が取り付けられたアーム部４０２と、アーム部４０２を絞り開口部４０４に対して開閉する方向に回動駆動するモータ４０３と、を備える。
【０００４】
そして、高輝度および長秒時撮影時など、必要に応じてモータ４０３へ通電することで、アーム部４０２がＮＤフィルタ４０１とともに図の矢印方向に回動する。これにより、静止画撮影の際に、絞り開口部４０４に対するＮＤフィルタ４０１の進退動作を露光時以外に瞬時に行うことができるようになっている。
【０００５】
一方、デジタルビデオカメラなどの撮影装置のレンズ鏡筒に搭載される光量調節装置として、例えば図８（ｂ）に示すものがある（特許文献２）。
【０００６】
この光量調節装置は、一対の絞り羽根５０１ａ，５０１ｂと、絞り羽根５０１ｂに取り付けられるＮＤフィルタ５０２と、一対の絞り羽根５０１ａ，５０１ｂを絞り開口部５０４に対して開閉する方向に回動駆動するモータ５０３と、を備える。
【０００７】
そして、モータ５０３へ通電することで、絞り羽根５０１ａ，５０１ｂが閉じ方向に回動し、絞り羽根５０１ａ，５０１ｂが小絞り位置に達したときに、ＮＤフィルタ５０２が絞り開口部５０４の全てを覆うように構成されている。この光量調節装置では、少なくとも動画撮影中はモータ５０３に常時通電が行われ、徐々に絞り羽根５０１ａ，５０１ｂの開閉を行いながら光量調節を行う。
【先行技術文献】
【特許文献】
【０００８】
【特許文献１】特開２００５−２２１７３８号公報
【特許文献２】特開２００２−０５５３７４号公報
【発明の概要】
【発明が解決しようとする課題】
【０００９】
上記特許文献１の光量調節装置では、ＮＤフィルタ４０１が瞬時に絞り開口部４０４に進入するため、ＮＤフィルタ４０１を通過した後の撮影光学系の光量が急変する。このため、静止画及び動画が撮影可能なカメラに上記特許文献１の光量調節装置を適用すると、動画撮影時に極端な光量変化が起こり、撮影画像の劣化につながる。
【００１０】
この場合、モータ４０３を常時通電させて絞り開口部４０４に対して徐々にＮＤフィルタ４０１を進退させることで、極端な光量変化を回避することが考えられる。しかし、このようにすると、絞り羽根の駆動とは別にＮＤフィルタ４０１の駆動を独立して行う必要が生じ、光量調節装置の数が増えることで、カメラの大型化や生産性の低下を招く。また、モータ４０３を常時通電状態とするため、消費電力が増大する等の問題が発生する。
【００１１】
一方、上記特許文献２の光量調節装置では、ＮＤフィルタ５０２が常時絞り開口部５０４に入りこむため、光量が低下する。このため、静止画及び動画が撮影可能なカメラに上記特許文献２の光量調節装置を適用すると、静止画撮影時にシャッタスピードが遅くなり、高画質な撮影画像が得られない問題がある。
【００１２】
そこで、本発明は、簡単な構造で光学フィルタを進退させることができる光量調節装置を提供することを目的とする。
【課題を解決するための手段】
【００１３】
上記目的を達成するために、本発明の光量調節装置は、第１の軸部と第２の軸部がそれぞれ形成される複数の絞り羽根と、前記複数の絞り羽根の前記第１の軸部がそれぞれ軸支されるロータリプレートと、前記ロータリプレートを回転駆動する駆動ユニットと、前記複数の絞り羽根の前記第２の軸部がそれぞれ係合される複数のカム穴が形成されるカムプレートと、アーム部の一端が前記ロータリプレートに軸支され、前記アーム部の他端に光学フィルタが配置され、前記アーム部に突起部が形成される光学フィルタ部材と、前記突起部がトレースする第１のカム部及び第２のカム部が形成される固定部材と、移動することで、前記突起部が前記第１のカム部をトレースする第１の状態と、前記突起部が前記第２のカム部をトレースする第２の状態とに切り換える切換手段と、を備え、前記切換手段によって、前記第１の状態に切り換えられる場合には、前記ロータリプレートを回転させて前記複数の絞り羽根が光路を絞り込む際に、前記光学フィルタ部材が前記光路内に進入することなく、前記切換手段によって、前記第２の状態に切り換えられる場合には、前記ロータリプレートを回転させて前記複数の絞り羽根が光路を絞り込む際に、前記光学フィルタ部材が前記光路内に進入することを特徴とする。
【発明の効果】
【００１４】
本発明の光量調節装置によれば、簡単な構造で光学フィルタを進退させることができる。
【図面の簡単な説明】
【００１５】
【図１】本発明の実施形態の一例である光量調節装置が搭載されるレンズ鏡筒を備えるデジタル一眼レフカメラの概略ブロック図である。
【図２】本発明の実施形態の一例である光量調節装置の分解斜視図である。
【図３】（ａ）は光量調節装置の要部を光軸方向から見た模式図、（ｂ）は（ａ）のＸ−Ｘ線断面図である。
【図４】ＮＤフィルタ部材の第１の駆動パターンを説明するための図である。
【図５】ＮＤフィルタ部材の第２の駆動パターンを説明するための図である。
【図６】ＮＤフィルタ部材の第３の駆動パターンを説明するための図である。
【図７】カムプレートのカム穴と絞り羽根の軸部との関係を示す図である。
【図８】（ａ）は従来の光量調節装置を説明するための図、（ｂ）は従来の他の光量調節装置を説明するための図である。
【発明を実施するための形態】
【００１６】
以下、本発明の実施形態の一例を図面を参照して説明する。
【００１７】
図１は、本発明の実施形態の一例であるデジタル一眼レフカメラの概略ブロック図である。なお、本実施形態では、静止画及び動画が撮影可能な撮像装置として、図１に示すデジタル一眼レフカメラを例に説明する。
【００１８】
図１に示すように、デジタル一眼レフカメラは、カメラ本体２００に対してレンズ鏡筒３００が着脱自在に装着される。カメラ本体２００は、電源スイッチ２０３、レリーズスイッチ２０４、およびカメラＣＰＵ２０１を備える。レンズ鏡筒３００は、レンズＣＰＵ３０１、合焦装置３０６、および絞り装置３０７を備える。
【００１９】
カメラＣＰＵ２０１は、マイクロコンピュータで構成され、測距装置２０８、測光装置２０５、露光装置２０６、記憶装置２０７、および表示装置２０９等を制御する。また、カメラＣＰＵ２０１は、レンズ鏡筒３００が装着されて、レンズ接点３０２とカメラ接点２０２とが接続されると、レンズＣＰＵ３０１との間で通信を行う。
【００２０】
電源スイッチ２０３は、外部から操作可能とされ、オン操作によりカメラＣＰＵ２０１を起動してシステム内の各アクチュエータやセンサ等への電源供給及びシステムの動作を可能な状態とする。レリーズスイッチ２０４は、外部から操作可能な２段ストローク式のスイッチで構成され、その操作信号は、カメラＣＰＵ２０１に入力される。
【００２１】
カメラＣＰＵ２０１は、レリーズスイッチ２０４の第１ストロークＳＷがＯＮであれば、測光装置２０５による露光量の決定や測距装置２０８による被写体の測距演算結果に基づく合焦装置３０６への合焦レンズ駆動命令による合焦動作および合焦判定等を行う。これにより、撮影準備状態に入る。
【００２２】
また、カメラＣＰＵ２０１は、レリーズスイッチ２０４の第２ストロークＳＷがＯＮするまで操作されたことを検出すると、レンズ鏡筒３００のレンズＣＰＵ３０１に絞り装置３０７の駆動命令を送信する。
【００２３】
そして、カメラＣＰＵ２０１は、絞り装置３０７を駆動するとともに、露光装置２０６に露光開始命令を送信して実際の露光動作を行わせ、露光終了信号を受信すると記憶装置２０７に記録開始命令を送信して撮影画像の記憶処理を行わせる。
【００２４】
表示装置２０９は、絞り値やシャッタスピードなどの各種撮影条件や、撮影枚数、電池残量、各種モードを、カメラＣＰＵ２０１の指令により表示する。
【００２５】
レンズＣＰＵ３０１は、合焦装置３０６および絞り装置３０７等の動作を制御する。また、レンズＣＰＵ３０１は、レンズ鏡筒３００がカメラ本体２００に装着されて、レンズ接点３０２とカメラ接点２０２とが接続されると、カメラＣＰＵ２０１との間で通信を行う。
【００２６】
合焦装置３０６は、合焦レンズおよびその保持部材と、合焦レンズを目標位置まで駆動するための合焦レンズ駆動手段と、合焦レンズ駆動手段による駆動力を合焦レンズの移動力として伝達する伝達機構とを備える。
【００２７】
また、合焦装置３０６は、カメラＣＰＵ２０１から送信された合焦レンズの移動量情報に従ってレンズＣＰＵ３０１により制御され、合焦レンズ駆動手段に駆動指令を送る合焦レンズ駆動回路を備える。
【００２８】
絞り装置３０７は、後述する絞り羽根１５ａ〜１５ｆの絞り開口径を設定する絞り機構と、絞り機構を駆動する駆動ユニットと、駆動ユニットに駆動指令を送る駆動回路とを備える。
【００２９】
ここで、本発明の実施形態の一例である光量調節装置は、絞り装置３０７の絞り機構および駆動ユニットによって構成される。
【００３０】
図２は、本発明の実施形態の一例である光量調節装置の分解斜視図である。
【００３１】
図２に示すように、本実施形態の光量調節装置は、カバー部材１、ロータ２、ボビン５ａ，５ｂ、ヨーク９、軸受部材１０、位置検出器１２、ケース部材１３、ロータリプレート１４、複数の絞り羽根１５ａ〜１５ｆ、およびカムプレート１６を備える。
【００３２】
ここで、本実施形態では、カバー部材１、ロータ２、ボビン５ａ，５ｂ、ヨーク９、軸受部材１０等により駆動ユニットを構成する。また、位置検出器１２、ケース部材１３、ロータリプレート１４、絞り羽根１５ａ〜１５ｆ、カムプレート１６、ＮＤフィルタ部材１８、ＮＤフィルタ部材１８を案内するガイド部材１９、ガイド部材１９を駆動するモータ２０等により絞り機構を構成する。
【００３３】
ここで、駆動ユニットの駆動、及び駆動モータ２０の駆動は、カメラＣＰＵ２０１から送信された絞り動作命令に従ってレンズＣＰＵ３０１により制御される。なお、駆動ユニットの組立手順については、その説明を省略する。
【００３４】
カバー部材１は、合成樹脂などの弾性材料で形成されており、ロータ２およびボビン５ａ，５ｂ等を収納する。カバー部材１の略中央部には、軸受穴１ａが形成され、軸受穴１ａの回りには、ボビン５ａ，５ｂの端子を挿通させる穴部１ｂ−１〜１ｂ−４が形成されている。
【００３５】
また、カバー部材１の両側部には、それぞれ位置検出器１２を押さえるためのフランジ部１ｃ、およびカバー部材１をケース部材１３に押圧固定するための座部１ｄが設けられている。
【００３６】
フランジ部１ｃには、位置検出器１２の端子部１２ａを挿通させる穴部１ｃ−１〜１ｃ−３が設けられている。座部１ｄには、締結部材挿通穴１ｄ−１、及び締結部材１７により押圧される突起部１ｄ−２が設けられている。
【００３７】
ロータ２は、永久磁石で形成され、内周部に円盤状のコア３が接着等により固定されている。コア３には、回転軸４が圧入等により嵌合固定されており、回転軸４のカバー部材１側の端部は該カバー部材１の軸受穴１ａに回転可能に支持されている。
【００３８】
コア３と軸受部材１０との間には、コア３の端面と軸受部材１０の端面との摺動摩擦を低減させるためのワッシャ７が介装される。ワッシャ７は、潤滑性の高い材料で形成されている。
【００３９】
ボビン５ａ，５ｂは、合成樹脂等で形成されており、給電のための端子部を有する。また、ボビン５ａ，５ｂには、コイル６ａ，６ｂが取り付けられるとともに、端子部にコイル引き出し線が絡げられて、半田によるメッキ処理が施されている。
【００４０】
コイル６ａ，６ｂとヨーク９との間には、両者が導通しないようにするための絶縁性のシート部材８が介装される。このシート部材８には、軸受部材１０の逃げ穴部８ａとヨーク９の逃げ穴部８ｂ−１，８ｂ−２とが形成されている。
【００４１】
ヨーク９は、軟磁性材料で形成されており、ロータ２と径方向に対向するように曲げられたステータ部９ｂ−１，９ｂ−２、軸受部材１０を圧入等により固定するための穴部９ａ、およびカバー部材１と嵌合するための嵌合面部９ｃ−１〜９ｃ−６を有する。
【００４２】
軸受部材１０は、磁性材料で形成され、回転軸４のカバー部材１の反対側の端部を回転可能に支持する軸受穴１０ａ、およびフランジ部１０ｂを有する。軸受穴１０ａから突出する回転軸４の先端には、ピニオン１１が固定される。
【００４３】
ピニオン１１は、回転軸４が圧入等により固定されるための穴部１１ａと、駆動ユニットの回転力をロータリプレート１４に伝達するためのギヤ部１１ｂとを有する。
【００４４】
位置検出器１２は、フォトインタラプタ等の位置検出素子で構成され、ロータリプレート１４の回転位置を検出する。また、位置検出器１２には、端子部１２ａが設けられている。
【００４５】
ケース部材１３は、合成樹脂等で形成されており、光軸方向に突出する突出部１３ａと、カバー部材１の座部１ｄの裏面が当接する受け面部１３ａ−３とを有する。また、ケース部材１３には、挿通穴１ｄ−１に挿入された締結部材１７が締め込まれるねじ穴部１３ａ−１、ピニオン１１の挿通穴１３ｂ、軸受部材１０のフランジ部１０ｂの嵌合穴部１３ｃ、ヨーク９の端面を当接させる座面１３ｄが設けられている。
【００４６】
ケース部材１３には、位置検出器１２を収納する収納部１３ｅ、ロータリプレート１４の遮蔽板部１４ａの逃げ穴１３ｇが設けられている。ケース部材１３には、カムプレート１６のスナップフィット部１６ｂ−１〜１６ｂ−３の挿通溝１３ｈ−１〜１３ｈ−３、位置決め軸１６ａ−１の嵌合穴１３ｉ−１、及び位置決め軸１６ａ−２の嵌合溝１３ｉ−２が設けられている。
【００４７】
また、ケース部材１３には、ロータリプレート１４の嵌合リブ部１４ｂ−１〜１４ｂ−５が嵌合する嵌合穴部１３ｊ、３つのカム部１３ｋ−１〜１３ｋ−３を有する穴部１３ｋ、及び駆動モータ２０のネジ止め穴１３ｌが設けられている。ここで、ケース部材１３は、固定部材の一例に相当する。
【００４８】
ロータリプレート１４は、合成樹脂等で形成されて、駆動ユニットにより回転駆動され、その中央部には、開口部１４ｆが設けられている。また、ロータリプレート１４には、位置検出器１２の投射光を遮蔽するための検出片としての遮蔽板部１４ａ、及びケース部材１３の嵌合穴部１３ｊに回転可能に嵌合する嵌合リブ部１４ｂ−１〜１４ｂ−５が設けられている。
【００４９】
また、ロータリプレート１４には、ピニオン１１のギヤ部１１ｂに噛合してロータリプレート１４に回転駆動力を伝達するギヤ部１４ｃ、及びＮＤフィルタ部材１８の軸部１８ｄが回転可能に嵌合する嵌合穴１４ｇが設けられている。ロータリプレート１４には、絞り羽根１５ａ〜１５ｆの軸部１５ａ−１，１５ｂ−１，１５ｃ−１，１５ｄ−１，１５ｅ−１，１５ｆ−１が回転可能に嵌合する嵌合穴部１４ｄ−１〜１４ｄ−６が設けられている。
【００５０】
絞り羽根１５ａ〜１５ｆは、合成樹脂または金属薄板等で形成され、上述した嵌合穴部１４ｄ−１〜１４ｄ−６に第１の軸部１５ａ−１，１５ｂ−１，１５ｃ−１，１５ｄ−１，１５ｅ−１，１５ｆ−１が回転可能に嵌合する。これにより、絞り羽根１５ａ〜１５ｆがロータリプレート１４に対して軸支される。
【００５１】
また、絞り羽根１５ａ〜１５ｆには、カムプレート１６のカム穴１６ｃ〜１６ｈに係合する第２の軸部１５ａ−２，１５ｂ−２，１５ｃ−２，１５ｄ−２，１５ｅ−２，１５ｆ−２が設けられている。なお、図では、第２の軸部１５ｂ−２，１５ｃ−２，１５ｄ−２は不図示であるが、他の第２の軸部１５ａ−２等と同様の形状とされている。
【００５２】
カムプレート１６は、カム穴１６ｃ〜１６ｈ、及びケース部材１３と位置決めするための軸部１６ａ−１，１６ａ−２を有する。また、カムプレート１６には、ケース部材１３にカムプレート１６をスナップフィット結合させるためのスナップフィット部１６ｂ−１〜１６ｂ−３、および開口穴部１６ｋが設けられている。
【００５３】
ＮＤフィルタ部材１８は、アーム部１８ｂと、アーム部１８ｂの先端部に一体に設けられたＮＤフィルタ部１８ａとを有し、アーム部１８ｂには、突起部１８ｃおよび軸部１８ｄが設けられる。すなわち、アーム部１８ｂの一端に軸部１８ｄが形成され、アーム部１８ｂの他端にＮＤフィルタ部１８ａが配置されている。
【００５４】
軸部１８ｄは、上述したように、ロータリプレート１４の穴１４ｇに挿入され、これにより、ＮＤフィルタ部材１８が開口部１４ｆに対して進退する方向にロータリプレート１４に軸支される。ここで、ＮＤフィルタ部材１８は、光学フィルタ部材の一例に相当する。
【００５５】
ガイド部材１９は、合成樹脂または金属薄板等で形成されている。ガイド部材１９にはケース部材１３の穴部１３ｋに形成されたカム部１３ｋ−１〜１３ｋ−３にＮＤフィルタ部材１８の突起部１８ｃを当接させて案内する腕部１９ａ，１９ｂが設けられている。腕部１９ａには、ガイド部１９ａ−１，１９ａ−２が設けられ、腕部１９ｂには、ガイド部１９ｂ−１が設けられている。
【００５６】
また、ガイド部材１９には、モータ２０の出力軸２０ａに係合して固定される係合穴１９ｃが設けられている。モータ２０は、挿通穴２０ｂに挿通されたネジ２１により、ケース部材１３のネジ止め穴１３ｌに締結される。ガイド部材１９は、切換手段の一例に相当する。
【００５７】
締結部材１７によりカバー部材１をケース部材１３に固定した状態では、ヨーク９とケース部材１３との光軸方向の位置が定まり、ピニオン１１が適切な位置に配置される。これにより、ピニオン１１のギヤ部１１ｂとロータリプレート１４のギヤ部１４ｃとの良好な噛合状態が維持される。
【００５８】
そして、駆動ユニットが駆動されると、回転軸４に取り付けられたピニオン１１を介してロータリプレート１４が回転する。このとき、ロータリプレート１４の穴部１４ｄ−１〜１４ｄ−６に、絞り羽根１５ａ〜１５ｆの第１の軸部１５ａ−１，１５ｂ−１，１５ｃ−１，１５ｄ−１，１５ｅ−１，１５ｆ−１が挿入されている。
【００５９】
したがって、絞り羽根１５ａ〜１５ｆは、第２の軸部１５ａ−２，１５ｂ−２，１５ｃ−２，１５ｄ−２，１５ｅ−２，１５ｆ−２がカムプレート１６のカム穴１６ｃ〜１６ｈをトレースすることにより開口部１４ｆを開閉する方向に回動動作する。
【００６０】
図３（ａ）は光量調節装置の要部を光軸方向から見た模式図、図３（ｂ）は図３（ａ）のＸ−Ｘ線断面図である。図３では、ガイド部材１９、ＮＤフィルタ部材１８、及びケース部材１３の穴部１３ｋの関係について説明する。
【００６１】
図３に示すように、ＮＤフィルタ部材１８は、一方の軸部１８ｄがロータリプレート１４の穴１４ｇに軸支されている。ここで、上述したように、ケース部材１３には、モータ２０が取り付けられ、モータ２０の出力軸２０ａには、ガイド部材１９が固定されている。
【００６２】
これにより、モータ２０への通電によってガイド部材１９が出力軸２０ａを中心に図３（ａ）の矢印方向（正逆方向）に回動可能とされている。モータ２０への通電は、ガイド部材１９の回動動作時のみ行われ、ガイド部材１９が所定の位置まで回動した後は、モータのコギングトルク等の保持トルクで無通電状態でも停止してガイド部材１９を保持できるようになっている。
【００６３】
また、ガイド部材１９は、ガイド部１９ａ−１，１９ａ−２とガイド部１９ｂ−１が設けられた腕部１９ａ，１９ｂを有し、ケース部材１３は、カム部１３ｋ−１〜１３ｋ−３が設けられた穴部１３ｋを有する。
【００６４】
ＮＤフィルタ部材１８の他方の突起部１８ｃは、図３（ｂ）に示すように、ケース部材１３のカム部１３ｋ−１〜１３ｋ−３、及びガイド部材１９のガイド部１９ａ−１，１９ａ−２とガイド部１９ｂ−１に係合可能とされている。
【００６５】
そして、図３（ａ）において、モータ２０によりガイド部材１９を反時計周り方向に回動させると、ＮＤフィルタ部材１８の突起部１８ｃは、ガイド部１９ｂ−１に案内されてカム部１３ｋ−２をトレースすることができる第１の状態に切り換わる。
【００６６】
この状態で駆動ユニットを駆動してロータリプレート１４を時計周り方向に回転させると、軸部１８ｄがロータリプレート１４に連動して時計周り方向に移動するとともに突起部１８ｃがカム部１３ｋ−２をトレースして移動する。
【００６７】
一方、図３（ａ）において、モータ２０によりガイド部材１９を時計周り方向に回動させると、ＮＤフィルタ部材１８の突起部１８ｃは、ガイド部１９ａ−１に案内されてカム部１３ｋ−１をトレースすることができる第２の状態に切り換わる。
【００６８】
この状態で駆動ユニットを駆動してロータリプレート１４を時計周り方向に回転させると、軸部１８ｄがロータリプレート１４に連動して時計周り方向に移動するとともに、突起部１８ｃがカム部１３ｋ−１をトレースして移動する。
【００６９】
本実施形態では、ロータリプレート１４の回転に伴って、ＮＤフィルタ部材１８を次の第１〜第３のパターンで駆動することが可能となる。
【００７０】
図４はＮＤフィルタ部材１８の第１の駆動パターンを説明するための図、図５はＮＤフィルタ部材１８の第２の駆動パターンを説明するための図、図６はＮＤフィルタ部材１８の第３の駆動パターンを説明するための図である。なお、図４〜図６では、絞り羽根１５ａ〜１５ｆを絞り羽根１５として説明する。
【００７１】
まず、図４を参照して、ＮＤフィルタ部材１８の第１の駆動パターンについて説明する。図４（ａ）は絞り羽根１５が開放状態のときのガイド部材１９、ＮＤフィルタ部材１８、及びケース部材１３の関係を示す図、図４（ｂ）は絞り羽根１５が小絞り状態のときのガイド部材１９、ＮＤフィルタ部材１８、及びケース部材１３の関係を示す図である。
【００７２】
図４（ａ）では、ガイド部材１９がモータ２０の出力軸２０ａを中心に反時計周り方向（図の矢印方向）に回転している。このとき、無通電状態でモータ２０の出力軸２０ａに働く反時計周り方向のコギングトルク等の力により、ガイド部１９ｂ−１がＮＤフィルタ部材１８の突起部１８ｃをカム部１３ｋ−２に当接させている。ここで、カム部１３ｋ−２は、本発明の第１のカム部の一例に相当する。
【００７３】
この状態で駆動ユニットを駆動してロータリプレート１４を時計周り方向に回転させると、図４（ｂ）に示すように、軸部１８ｄがロータリプレート１４に連動して時計周り方向に移動するとともに、突起部１８ｃがカム部１３ｋ−２をトレースして移動する。
【００７４】
その際、ＮＤフィルタ部材１８のＮＤフィルタ部１８ａが開口部１４ｆ（光路内）に進入することはなく、この状態が小絞り状態まで続く。この第１の駆動パターンは、例えば静止画撮影時にＮＤフィルタ部１８ａを光路内に進入させたくない場合に用いられる。
【００７５】
次に、図５を参照して、ＮＤフィルタ部材１８の第２の駆動パターンについて説明する。図５（ａ）は絞り羽根１５が開放状態のときのガイド部材１９、ＮＤフィルタ部材１８、及びケース部材１３の関係を示す図、図５（ｂ）は絞り羽根１５が小絞り状態のときのガイド部材１９、ＮＤフィルタ部材１８、及びケース部材１３の関係を示す図である。
【００７６】
図５（ａ）では、ガイド部材１９がモータ２０の出力軸２０ａを中心に反時計周り方向に回転している。このとき、無通電状態でモータ２０の出力軸２０ａに働く反時計周り方向のコギングトルク等の力により、ガイド部１９ｂ−１がＮＤフィルタ部材１８の突起部１８ｃをカム部１３ｋ−２に当接させている。
【００７７】
この状態で駆動ユニットを駆動してロータリプレート１４を時計周り方向に回転させると、図５（ｂ）に示すように、軸部１８ｄがロータリプレート１４に連動して時計周り方向に移動するとともに、突起部１８ｃがカム部１３ｋ−２をトレースして移動する。その際、ＮＤフィルタ部材１８のＮＤフィルタ部１８ａが開口部１４ｆに進入することはなく、この状態が小絞り付近まで続く。
【００７８】
その後、モータ２０によりガイド部材１９を時計周り方向に回転させると、図５（ｃ）に示すように、突起部１８ｃがガイド部１９ａ−１に押されて、ＮＤフィルタ部材１８が軸部１８ｄを中心として回動する。
【００７９】
そして、突起部１８ｃがカム部１３ｋ−１に当接することでＮＤフィルタ部材１８が停止する。このとき、ＮＤフィルタ部材１８は、ＮＤフィルタ部１８ａが絞り羽根１５の小絞り状態の絞り開口を覆う位置まで回動する。この第２の駆動パターンは、静止画撮影時に小絞り位置でＮＤフィルタ部１８ａをセットして、撮影のための光量を低減させたい場合に用いられる。
【００８０】
ところで、この第２の駆動パターンでは、例えば、ＮＤフィルタ部１８ａの光量低減効果が２段分（例えばＦ８→Ｆ１６）であった場合、図５（ｂ）の状態から図５（ｃ）の状態に移行した際に、一度に２段分の光量変化が生じてしまう。従って、２段分未満の光量変化が必要な場合（例えばＦ８超えＦ１６未満）でＮＤフィルタ部１８ａをセットした状態だと光量不足となる。
【００８１】
そこで、本実施形態では、次のようにしている。図７は、カムプレート１６のカム穴１６ｃ〜１６ｈのうちのカム穴１６ｃと絞り羽根１５ｆの第２の軸部１５ｆ−２との関係を示す図である。なお、カム穴１６ｄ〜カム穴１６ｈと第２の軸部１５ａ−２〜１５ｅ−２との関係も同様である。
【００８２】
図７に示すように、カム穴１６ｃは、絞り羽根１５ｆの絞り開口にＮＤフィルタ部１８ａがセットされた領域で、絞り羽根１５ｆの第２の軸部１５ｆ−２が小絞り位置から中間絞り側（図中左側）へ移動できるカム領域が延長して形成されている。
【００８３】
一方、ケース部材の穴部１３ｋは、図５（ｃ）の状態より更に突起部１８ｃが図の時計周り方向へ移動できるカム部１３ｋ−３を有し、突起部１８ｃは、ガイド部材１９のガイド部１９ａ−２によりカム部１３ｋ−３をトレースする状態を維持できるようになっている。
【００８４】
この状態でロータリプレート１４を時計周り方向に回転させると、図５（ｄ）に示すように、ＮＤフィルタ部１８ａが絞り羽根１５の絞り開口を覆った状態で、絞り羽根１５の絞り開口径を小絞り位置から中間絞り側に変化させることが可能となる。これにより、上述したＮＤフィルタ部１８ａの段数変化分を補える光量（例えばＦ８超えＦ１６未満）の調節が行えるようになる。ここで、カム部１３ｋ−３は、本発明の第３のカム部の一例に相当する。
【００８５】
次に、図６を参照して、ＮＤフィルタ部材１８の第３の駆動パターンについて説明する。図６（ａ）は絞り羽根１５が開放状態のときのガイド部材１９、ＮＤフィルタ部材１８、及びケース部材１３の関係を示す図、図６（ｂ）は絞り羽根１５が中間絞り状態のときのガイド部材１９、ＮＤフィルタ部材１８、及びケース部材１３の関係を示す図である。
【００８６】
図６（ａ）では、ガイド部材１９がモータ２０の出力軸２０ａを中心に時計回り方向に回転している。このとき、無通電状態でモータ２０の出力軸２０ａに働く時計周り方向のコギングトルク等の力により、ガイド部１９ａ−１がＮＤフィルタ部材１８の突起部１８ｃをカム部１３ｋ−１に当接させている。ここで、カム部１３ｋ−１は、本発明の第２のカム部の一例に相当する。
【００８７】
この状態で駆動ユニットを駆動してロータリプレート１４を時計周り方向に回転させると、図６（ｂ）に示すように、軸部１８ｄがロータリプレート１４に連動して時計周り方向に移動するとともに、突起部１８ｃがカム部１３ｋ−１をトレースして移動する。
【００８８】
その際、ＮＤフィルタ部材１８のＮＤフィルタ部１８ａは、徐々に光路内に進入していく。このとき、絞り羽根１５ｆの第２の軸部１５ｆ−２は、図７を参照して、カム穴１６ｃの小絞り位置と開放位置との間に位置、即ち、ＮＤフィルタ部１８ａがセットされていない領域で中間絞り位置に配置される。
【００８９】
そして、図６（ｂ）の状態からさらにロータリプレート１４を時計周り方向に回転させると、絞り羽根１５の絞り開口径に対してＮＤフィルタ部１８ａが占める割合が漸次的に大きくなる方向にＮＤフィルタ部材１８が回動する。
【００９０】
その後、絞り羽根１５が小絞り状態となると、図６（ｃ）に示すように、ＮＤフィルタ部１８ａが絞り羽根１５によって形成される光路を覆う位置までＮＤフィルタ部材１８を回動させる。この第３の駆動パターンは、特に動画撮影時に小絞り付近での回折を低減する場合に用いられる。なお、ＮＤフィルタ部１８ａとして、中心から周辺へ向かうほど透過率が徐々に高くなるグラデーションＮＤフィルタ部を用いることでさらに回折低減の効果がある。
【００９１】
以上説明したように、本実施形態では、撮影状況に応じてモータ２０を駆動してガイド部材１９を回動させることで、ＮＤフィルタ部材１８の突起部１８ｃがトレースするカム部を選択している。これにより、ＮＤフィルタ部材１８のＮＤフィルタ部１８ａの光路に対する進退方向の回動動作を撮影状況に応じて適切に行うことが可能となり、静止画及び動画ともに高画質な撮影画像を得ることができる。
【００９２】
また、本実施形態では、静止画撮影時と動画撮影時とで光量調節装置を別個に設けることなく兼用することができるので、部品点数が削減されて装置の小型化、及び生産性の向上を図ることができる。
【００９３】
また、本実施形態では、モータ２０は、ガイド部材１９が所定の位置に移動すると、コギングトルク等を利用することにより無通電状態が保たれるため、常時通電する場合と比べて消費電力を抑えることができる。
【００９４】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００９５】
１３  ケース部材
１３ｋ−１〜１３ｋ−３  カム部
１４  ロータリプレート
１５ａ〜１５ｆ  絞り羽根
１６  カムプレート
１８  ＮＤフィルタ部材
１８ａ  ＮＤフィルタ部
１９  ガイド部材
１９ａ−１、１９ａ−２、１９ｂ−１  ガイド部
２０  モータ
【図１】
2014013348.tif 000003
【図２】
2014013348.tif 000004
【図３】
2014013348.tif 000005
【図４】
2014013348.tif 000006
【図５】
2014013348.tif 000007
【図６】
2014013348.tif 000008
【図７】
2014013348.tif 000009
【図８】
2014013348.tif 000010